(57)【要約】    【課題】長尺の可動演出体が円滑に作動し、長尺の可動演出体の作動による演出効果の向上を期待できるようにする。    【解決手段】演出図柄２４ａ〜２４ｃを可変表示する画像表示部２１と、画像表示部２１の前側に突出する演出位置Ｙと画像表示部２１から退避する退避位置Ｘとの間で出退移動可能な長尺の可動演出体２５と、可動演出体２５の両端側を支持する一対の支持手段４６，４７と、可動演出体２５を演出位置Ｙと退避位置Ｘとの間で出退駆動する駆動手段４８とを備える。一方の支持手段４７は可動演出体２５が演出位置Ｙと退避位置Ｘとの間で揺動し、演出位置Ｙで長手方向の軸心廻りに回動するように支持する。他方の支持手段４６は駆動手段４８の駆動により、演出位置Ｙと退避位置Ｘとの間で一方の支持手段４７廻りに可動演出体２５を揺動させる揺動機構５４と、可動演出体２５を演出位置Ｙで軸心廻りに回動させる回動機構５５とを備える。【選択図】図３
2011161296.tif 000002
【特許請求の範囲】
【請求項１】
演出図柄（２４ａ〜２４ｃ）を可変表示する画像表示部（２１）を有する画像表示手段（１３）と、前記画像表示部（２１）の前側に突出する演出位置（Ｙ）と前記画像表示部（２１）から退避する退避位置（Ｘ）との間で出退移動可能な長尺の可動演出体（２５）と、前記可動演出体（２５）の両端側を支持する一対の支持手段（４６，４７）とを備え、前記一対の支持手段（４６，４７）の少なくとも一方に、前記可動演出体（２５）を前記演出位置（Ｙ）と前記退避位置（Ｘ）との間で出退駆動する駆動手段（４８）を備えたことを特徴とする弾球遊技機。
【請求項２】
前記一対の支持手段（４６，４７）の内、一方の前記支持手段（４７）は前記可動演出体（２５）を前記演出位置（Ｙ）と前記退避位置（Ｘ）との間で揺動自在に支持すると共に前記演出位置（Ｙ）で前記可動演出体（２５）を長手方向の軸心廻りに回動自在に支持し、他方の前記支持手段（４６）は前記駆動手段（４８）の駆動により前記演出位置（Ｙ）と前記退避位置（Ｘ）との間で前記一方の支持手段（４７）廻りに前記可動演出体（２５）を揺動させる揺動機構（５４）と、前記駆動手段（４８）の駆動により前記可動演出体（２５）を前記演出位置（Ｙ）で前記軸心廻りに回動させる回動機構（５５）とを備えたことを特徴とする請求項１に記載の弾球遊技機。
【請求項３】
前記画像表示手段（１３）の前記画像表示部（２１）を支持する支持体（３１）と、該支持体（３１）の前側の前飾り体（３２）との間に前記可動演出体（２５）を備え、該可動演出体（２５）は前記退避位置（Ｘ）では前記画像表示部（２１）の左右方向の一側に沿って上下方向に位置し、前記演出位置（Ｙ）では下側の支持手段（４７）廻りに上側が前記画像表示部（２１）の前側へと斜め方向に突出することを特徴とする請求項２に記載の弾球遊技機。
【請求項４】
前記可動演出体（２５）は前記演出位置（Ｙ）で回動した際にその前側の発光部（３９）を内側から発光させる発光素子（４１）を有することを特徴とする請求項２又は３に記載の弾球遊技機。
【請求項５】
前記可動演出体（２５）が前記演出位置（Ｙ）へと回動した際に、該可動演出体（２５）の発光と前記画像表示部（２１）に表示される演出画像（２６）とにより前記所定の演出を行うようにしたことを特徴とする請求項１〜４の何れかに記載の弾球遊技機。
【発明の詳細な説明】
【技術分野】
【０００１】
本発明は、パチンコ機等の弾球遊技機に関し、長尺の可動演出体により所定の遊技状態を演出するようにしたものである。
【背景技術】
【０００２】
パチンコ機等の弾球遊技機には、遊技盤の遊技領域の略中央部に、複数個の演出図柄を可変表示する画像表示部を備えた画像表示手段を配置すると共に、画像表示部の周縁側の支持枠に特別図柄表示手段と可動演出体とを配置し、特定の遊技状態のときに可動演出体の作動と、この作動に同期して画像表示手段に表示される演出画像とを組み合わせて、その遊技状態の演出を行うようにしたものがある（特許文献１）。
【０００３】
この弾球遊技機では、特別図柄始動手段が遊技球を検出すると、特別図柄表示手段の特別図柄が所定時間変動して大当たり態様、外れ態様の何れかで停止する。一方、特別図柄の変動に同期して画像表示手段の複数個（例えば３個）の演出図柄が所定の変動パターンで所定時間変動して、変動後の特別図柄が大当たり態様となる場合には全てが揃う大当たり演出態様で停止し、また特別図柄が外れ態様となる場合には少なくとも１個が異なる外れ演出態様で停止する。
【０００４】
そして、変動中の演出画像の変動パターンが変動後に大当たり演出態様となる信頼度の高い特定の変動パターンの場合に、１個の演出図柄を除く他の演出図柄が揃うリーチになれば、画像表示手段の支持枠に出退自在に備えられた可動演出体が作動して画像表示手段の画像表示部側に突出し、この可動演出体の作動に同期して画像表示手段の画像表示部に特定の演出画像を表示して、可動演出体の作動と画像表示部の演出画像とを組み合わせて、変動後に大当たりとなる可能性が高いことを予告する予告演出を行う。
【特許文献１】特開２００７−２２２３４９号公報
【発明の開示】
【発明が解決しようとする課題】
【０００５】
従来の弾球遊技機は画像表示手段が小型であり、可動演出体も画像表示手段の右下隅部に配置できる程度の比較的小さいものが使用されてきたが、近時の弾球遊技機では画像表示手段が非常に大型化し、その大型化に伴って可動演出体にも長尺のものが使用される傾向にある。
【０００６】
しかし、可動演出体が長尺になれば、その可動演出体の支持が問題となる。即ち、可動演出体は画像表示部に表示される演出画像等に同期して円滑に作動する必要があるが、可動演出体が長尺になれば、可動演出体をその一端側で出退自在に支持する程度では、可動演出体の円滑な作動は期待し難くなる。
【０００７】
本発明は、このような従来の問題点に鑑み、長尺の可動演出体が円滑に作動でき、画像表示部の演出画像等に確実に同期して長尺の可動演出体が作動する等、長尺の可動演出体の作動による演出効果の向上を期待できる弾球遊技機を提供することを目的とする。
【課題を解決するための手段】
【０００８】
本発明は、演出図柄２４ａ〜２４ｃを可変表示する画像表示部２１を有する画像表示手段１３と、前記画像表示部２１の前側に突出する演出位置Ｙと前記画像表示部２１から退避する退避位置Ｘとの間で出退移動可能な長尺の可動演出体２５と、前記可動演出体２５の両端側を支持する一対の支持手段４６，４７とを備え、前記一対の支持手段４６，４７の少なくとも一方に、前記可動演出体２５を前記演出位置Ｙと前記退避位置Ｘとの間で出退駆動する駆動手段４８を備えたものである。
【発明の効果】
【０００９】
本発明によれば、長尺の可動演出体２５が円滑に作動でき、画像表示部２１の演出画像２６等に確実に同期して長尺の可動演出体２５が作動する等、長尺の可動演出体２５の作動による演出効果の向上を期待できる利点がある。
【発明を実施するための最良の形態】
【００１０】
以下、本発明の実施形態を図面に基づいて詳述する。図１〜図９は本発明をパチンコ機に採用した第１の実施例を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１１】
前面板６の前側には発射用の遊技球を貯留する球供給皿８が配置され、その側方に遊技球を発射する発射手段（図示省略）の発射ハンドル９が設けられている。ガラス扉５の裏側には、このガラス扉５に対応するように前枠４に遊技盤１０（図２参照）が着脱自在に装着されている。
【００１２】
遊技盤１０の前面には、図２に示すように、発射手段から発射された遊技球を案内するガイドレール１１が略円弧状に配置されると共に、そのガイドレール１１の内側の遊技領域１２に画像表示手段１３、普通図柄始動手段１４、特別図柄始動手段１５、大入賞手段１６、普通入賞手段１７等の各種の遊技部品が配置されている。なお、遊技領域１２はガラス扉５の窓孔１８に対応している。
【００１３】
画像表示手段１３は図２、図３に示すように、例えば遊技領域１２の略中央に配置されており、遊技盤１０に装着された支持枠２０と、この支持枠２０の略中央に配置された液晶式等の画像表示部２１とを備えている。支持枠２０には普通図柄表示手段２２、特別図柄表示手段２３が設けられると共に、長尺の可動演出体２５が画像表示部２１に対して出退移動自在に設けられている。なお、普通図柄表示手段２２、特別図柄表示手段２３はその一方又は双方を遊技盤１０に装着された他の遊技部品に設けてもよい。
【００１４】
普通図柄表示手段２２は普通図柄を変動表示するためのもので、複数種類の普通図柄（例えば２種類の「○」「×」）に対応する複数個の発光素子により構成されており、普通図柄始動手段１４が遊技球を検出することを条件に２個の発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００１５】
特別図柄表示手段２３は、発光部位の変化等で特別図柄を変動表示可能なセグメント式等の表示手段により構成されており、特別図柄始動手段１５が遊技球を検出することを条件に特別図柄を所定時間変動表示して、特別図柄始動手段１５の遊技球の検出時に抽選された乱数値が予め定められた大当たり乱数値と一致した場合に所定の大当たり態様で、それ以外の場合に外れ態様で停止するようになっている。
【００１６】
画像表示部２１は矩形状その他の形状であって、図２に示すように遊技中は演出図柄２４ａ〜２４ｃとその背景画像とが表示され、また特定の遊技状態の場合には可動演出体２５の作動と同期して予告演出画像２６が表示される
演出図柄２４ａ〜２４ｃは画像表示部２１の適当な位置に複数個、例えば３個表示され、その各演出図柄２４ａ〜２４ｃは特別図柄表示手段２３の特別図柄の変動に同期して変動を開始し、所定の変動パターンを経て所定時間変動した後、特別図柄の変動終了に同期して所定の順序で順次停止する。演出図柄２４ａ〜２４ｃの変動後の停止図柄は、特別図柄表示手段２３の特別図柄が大当たり態様で停止する場合には全てが揃う大当たり演出態様となり、特別図柄が外れ態様で停止する場合には少なくとも一部が異なる外れ演出態様となる。
【００１７】
演出図柄２４ａ〜２４ｃには例えば０〜９までの数字図柄が使用されており、特別図柄が大当たり態様で停止する場合には演出図柄２４ａ〜２４ｃは「７・７・７」等の大当たり演出態様で停止し、特別図柄が外れ態様で停止する場合には演出図柄２４ａ〜２４ｃは「２・４・５」等の外れ演出態様で停止する。
【００１８】
特別図柄始動手段１５は固定式入賞口２８と電動チューリップ等の可変式入賞口２９とを上下に備えている。可変式入賞口２９は普通図柄表示手段２２の変動後の普通図柄が当たり態様を停止表示したときに所定時間開放するようになっている。
【００１９】
画像表示手段１３の支持枠２０は、図２〜図４に示すように開口３０に対応して遊技盤１０の裏面に装着され且つ画像表示部２１を支持する支持体３１と、開口３０に対応して遊技盤１０の前面に装着され且つ画像表示部２１の外周側の支持体３１を前側から覆う前飾り体３２とを備えている。普通図柄表示手段２２、特別図柄表示手段２３は前飾り体３２に設けられている。
【００２０】
支持体３１には遊技盤１０の裏側に当接する周壁部３３と、この周壁部３３から後方に凹入する凹入部３４とを備えている。支持体３１には凹入部３４の背壁に矩形状等の開口３５が形成され、その開口３５に対応して支持体３１の裏側に画像表示部２１が装着されている。支持体３１の凹入部３４内には前側から飾り板３７が固定され、この飾り板３７の内周に、画像表示部２１の表示を前側から視認可能できるように、画像表示部２１に対応する表示窓３７ａが略矩形状に開口状に形成されている。飾り板３７の表示窓３７ａの後端縁は、支持体３１の開口３５内に嵌合している。
【００２１】
前飾り体３２と支持体３１との間には少なくとも画像表示部２１の左右方向の一側方に空間３６があり、その空間３６内に長尺の可動演出体２５が上下方向に配置されている。可動演出体２５は通常空間３６に収まっており、その一部が露出する程度に前飾り体３２により前から覆われている。
【００２２】
なお、支持体３１の凹入部３４内の前側には画像表示部２１の外側を取り囲む飾り板３７が嵌合して固定されているが、この飾り板３７は支持体３１と一体でもよい。また画像表示手段１３は遊技盤１０に対して前飾り体３２と支持体３１とを前後両側から装着するようにしているが、前飾り体３２と支持体３１とを結合して、その支持体３１が開口３０に嵌合するように遊技盤１０に対して前側から装着するようにしてもよい。
【００２３】
可動演出体２５は発光部３９を有する発光式であって、図２に示すように退避位置Ｘから演出位置Ｙへと作動して発光部３９が前に向いた際に、その作動に同期して発光部３９が発光し、この発光に同期して画像表示部２１に表示される予告演出画像２６との組み合わせにより所定の予告演出を行うようになっている。前飾り体３２には、可動演出体２５の発光部３９の延長上に発光部４０が設けられ、この発光部４０が可動演出体２５の発光に同期して発光するようになっている。
【００２４】
可動演出体２５は左右幅に比して前後方向の厚みが薄い縦長状の長尺物であって、例えば柄部２５ａと、刀身部２５ｂと、その両者間に套嵌された鍔部２５ｃとを有する日本刀を模した形状となっている。可動演出体２５は刀身部２５ｂの刃先側の略全長が光透過性を有する発光部３９となっており、その発光部３９が可動演出体２５の内部に設けられた発光素子４１からの光により発光するようになっている。
【００２５】
なお、可動演出体２５は図５にも示すように、柄部２５ａ及び刀身部２５ｂが厚み方向の中間で分割された分割体４２をネジ４３等で接合して構成され、その刀身部２５ｂ側の分割体４２間に長手方向に沿って帯状の基板４４が介在されている。また可動演出体２５は退避位置Ｘで発光部３９が画像表示部２１側となるように横向き状態に配置されている。
【００２６】
発光部３９の内側には凹凸状、その他の乱反射部４５が形成されている。基板４４は幅方向の端縁と発光部３９の乱反射部４５との間に所定の隙間を有し、その端縁側の一側面に長手方向に所定の間隔をおいて複数個の発光素子４１が装着され、この発光素子４１からの光を乱反射部４５で乱反射させることにより発光部３９の両面を発光させるようになっている。基板４４はコネクタ４４ａを有し、そのコネクタ４４ａに接続されたハーネス４４ｂは可動演出体２５の基部側である柄部２５ａ側から外部に引き出されている。
【００２７】
なお、前飾り体３２の発光部４０も同様に光透過性と乱反射性とを備え、その裏側の発光素子４９の光により発光するようになっている。
【００２８】
可動演出体２５は支持体３１と前飾り体３２との空間３６内で上下一対の支持手段４６，４７により上下両端側が支持され、画像表示部２１の前側に突出する演出位置Ｙと、画像表示部２１から左右方向の一側方に退避する退避位置Ｘとの間で、駆動手段４８の駆動により出退移動可能である。可動演出体２５は退避位置Ｘでは画像表示部２１の一側に沿って略上下方向に位置し、また演出位置Ｙでは下側の支持手段４７廻りに上側が画像表示部２１の前側へと斜め方向に突出した状態となる。
【００２９】
下側の支持手段４７は可動演出体２５を演出位置Ｙと退避位置Ｘとの間で揺動自在に支持すると共に、演出位置Ｙで可動演出体２５の長手方向の軸心廻りに回動自在に支持するためのもので、図３に示すように球面体５０と球面受け体５１とが球面中心５３廻りに摺動自在に嵌合された球面結合手段により構成されている。球面体５０は飾り板３７を介して支持体３１に固定された支持部材５２に、球面受け体５１は可動演出体２５に夫々装着されているが、逆に装着してもよい。また球面中心５３は可動演出体２５の幅方向の中心に対して画像表示部２１と反対側に位置し、可動演出体２５の厚み方向の中心近傍に位置している。なお、球面中心５３はこれ以外の位置に配置してもよい。
【００３０】
上側の支持手段４６は図３、図６に示すように、駆動手段４８の駆動により演出位置Ｙと退避位置Ｘとの間で下側の支持手段４７廻りに可動演出体２５を揺動させる揺動機構５４と、駆動手段４８の駆動により可動演出体２５を演出位置Ｙで下側の支持手段４７を支点として長手方向の軸心廻りに回動させる回動機構５５とを備え、ている。
【００３１】
即ち、上側の支持手段４６は可動演出体２５から突出する２本の突起５６，５７と、可動演出体２５の上端に対向して配置され且つ２本の突起５６，５７を案内する案内溝５８，５９を有する案内板６０とを備えている。２本の突起５６，５７は可動演出体２５の幅方向及び厚み方向に位置を変えて設けられており、この２本の突起５６，５７に対応して案内板６０に前後２個の案内溝５８，５９が設けられている。
【００３２】
前側の案内溝５８は可動演出体２５の退避位置Ｘと演出位置Ｙとに跨がって左右方向に略直線状に形成され、また後側の案内溝５９は可動演出体２５の退避位置Ｘ側から演出位置Ｙ側へと前の案内溝５８と平行に形成された直線部５９ａと、前の案内溝５８の演出位置Ｙ側の端部を中心に円弧状に形成された円弧部５９ｂとを有する。円弧部５９ｂは発光部３９が画像表示部２１側に向く状態と横に向く状態との間で突起５６廻りに突起５７を案内する長さを有する。
【００３３】
揺動機構５４は２本の突起５６，５７と、前側の案内溝５８と、後側の案内溝５９の直線部５９ａとにより構成され、また回動機構５５は２本の突起５６，５７と、前側の案内溝５８の演出位置Ｙ側の端部と、後側の案内溝５９の円弧部５９ｂとにより構成されている。
【００３４】
この実施例では２本の突起５６，５７は、可動演出体２５の演出位置Ｙに近い突起５６が遊技盤１０の前後方向の前側に、反対側の突起５７が遊技盤１０の前後方向の後側に配置され、その演出位置Ｙに近い突起５６はその軸心が下側の支持手段４７の略球面中心５３を通るように配置されている。なお、回動機構５５は可動演出体２５を演出位置Ｙで略９０度程度回動させるようになっている。また各突起５６，５７の外周には案内溝５８，５９内を転がるローラ等の転動体が套嵌されている。
【００３５】
駆動手段４８は支持板６３に装着された駆動モータ６４により構成されている。駆動モータ６４は上下方向の駆動軸６５を有し、その駆動軸６５に駆動アーム６６が固定されている。駆動アーム６６は可動演出体２５が退避位置Ｘと演出位置Ｙとの間で出退移動すべく往復回動自在であり、その先端が連結リンク６７を介して退避位置Ｘに近い後側の突起５７に連動連結されている。
【００３６】
案内板６０、支持板６３は取り付け部６８、飾り板３７を介して支持体３１に固定されている。案内板６０、支持板６３は別々に支持体３１に固定してもよい。駆動アーム６６と連結リンク６７、突起５７と連結リンク６７は球面軸受又は適当な遊びを介して遊動可能に連結されている。なお、駆動軸６５、駆動アーム６６、連結リンク６７によりクランク機構が構成されている。上下の支持手段４６，４７は前飾り体３２の内周縁３２ａよりも外側に配置されており、前飾り体３２により前側から覆われている。
【００３７】
図７はパチンコ機の制御系を示す。パチンコ機の制御系は主制御基板７０と演出制御基板７１とを備えている。主制御基板７０はパチンコ機全体の遊技動作の制御を司るもので、普通図柄始動手段１４が遊技球を検出したときに乱数値を抽選して当たりか否かを判定し、当たりの場合に普通図柄表示手段２２の変動後の普通図柄が当たり態様で停止した後に特別図柄始動手段１５の可変式入賞口２９を所定時間開放させる普通図柄系制御手段７２の他に、乱数抽選手段７３、判定手段７４、特別図柄制御手段７５、停止態様決定手段７６、変動パターン決定手段７７、コマンド送信手段７８、特別遊技発生手段７９を備えている。
【００３８】
乱数抽選手段７３は特別図柄始動手段１５が遊技球を検出したときに乱数値を抽選し、判定手段７４は乱数抽選手段７３で抽選された乱数値を大当たり乱数値と照合して大当たりか否かを判定するようになっている。特別図柄制御手段７５は特別図柄始動手段１５の遊技球の検出を契機に特別図柄表示手段２３の特別図柄を所定時間変動させて、判定手段７４の判定結果が大当たりのときに大当たり態様で、外れのときに外れ態様で夫々停止すべく特別図柄を制御するようになっている。
【００３９】
停止態様決定手段７６は判定手段７４の判定結果が大当たりのときに演出図柄２４ａ〜２４ｃの停止態様を抽選し決定するためのものである。変動パターン決定手段７７は判定手段７４の判定結果が大当たりのときの大当たり変動パターンを、外れのときの外れ変動パターンを抽選し決定するためのもので、判定手段７４の判定結果に応じて予め定められた複数種類の大当たり変動パターン、外れ変動パターンの中から、そのときの演出図柄２４ａ〜２４ｃの変動に供する１つの変動パターンを選択し決定するようになっている。
【００４０】
大当たり変動パターン、外れ変動パターンには変動時間の長短、演出図柄２４ａ〜２４ｃの変動中のリーチの有無等に応じて夫々複数の種類のものがある。例えば、大当たり変動パターンには変動時間の違いによって大当たり変動パターン１、大当たり変動パターン２、大当たり変動パターン３、・・・等のように多種類のパターンが準備されており、また外れ変動パターンには変動時間の違い、リーチの有無によってリーチあり外れ変動パターン１、リーチあり外れ変動パターン２、リーチなし外れ変動パターン１、リーチなし外れ変動パターン２、・・・等のように多種類のパターンが準備されている。
【００４１】
なお、一般的にリーチあり外れ変動パターンはリーチなし外れ変動パターンに比較して変動時間が長く、またリーチあり外れ変動パターンの一部である１種類又は複数種類は、大当たり変動パターンの変動時間に近い変動時間を有するものがある。また変動時間の長い変動パターンの場合には、変動時間の短いリーチあり変動パターン、リーチなし変動パターンに比較して出現率は低いが、変動後に特別図柄が大当たり態様となる信頼度が大になっている。
【００４２】
特別図柄制御手段７５は特別図柄始動手段１５の遊技球の検出を契機に特別図柄表示手段２３の特別図柄を変動させて、変動パターン決定手段７７で決定された変動パターンの変動時間に従って変動した後に、判定手段７４の大当たり、外れの判定結果に応じて特別図柄を大当たり態様、外れ態様の何れかで停止させるようになっている。コマンド送信手段７８は停止態様決定手段７６で決定された停止態様コマンド、変動パターン決定手段７７で決定された変動パターンコマンド、各変動パターン毎の変動停止コマンドを演出制御基板７１側へと一方向通信により送信するようになっている。
【００４３】
特別遊技発生手段７９は判定手段７４が大当たりと判定した場合に、特別図柄が大当たり態様で停止した後に遊技者に有利な特別遊技（大当たり遊技）を発生させるためのもので、例えば大入賞手段１６を所定時間ずつ複数回開放させるようになっている。なお、特別遊技での大入賞手段１６の開閉パターン等は適宜決定することが可能である。また特別遊技では大入賞手段１６の開放に加えて、又は大入賞手段１６の開放とは別に、特別図柄の大当たり態様の種類を条件に大当たりの抽選確率を変える確率変動、その他の遊技者に有利な要素を付加してもよい。
【００４４】
演出制御基板７１には主制御基板７０から送信される各コマンドを解析して画像表示手段１３の画像表示部２１に表示される演出図柄２４ａ〜２４ｃ、背景画像、予告演出画像２６を制御し、また可動演出体２５の作動、発光部３９，４０の発光を制御するためのもので、コマンド受信手段８１、演出図柄制御手段８２、予告演出決定手段８３、演出画像制御手段８４、可動演出制御手段８５、発光演出制御手段８６等を備えている。
【００４５】
コマンド受信手段８１はコマンド送信手段７８から演出制御基板７１側に送信される各コマンドを受信して解析するためのものである。演出図柄制御手段８２は主制御基板７０からの変動パターンコマンドに従って特別図柄表示手段２３の特別図柄の変動に同期して演出図柄２４ａ〜２４ｃを所定の変動パターンで所定時間変動させて、停止コマンドがあったときに演出図柄２４ａ〜２４ｃを大当たり演出態様又は外れ演出態様で停止させるようになっている。なお、３個の演出図柄２４ａ〜２４ｃは、特別図柄が大当たり態様で停止する場合には全てが揃うように停止態様コマンドで指定された停止態様で停止し、それ以外の場合にはリーチの有無に応じて演出図柄制御手段８２側で選択された停止態様で停止する。
【００４６】
予告演出決定手段８３は大当たり変動パターンの一部又は全てと、大当たり変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否かを決定するようになっている。なお、大当たり変動パターンの場合は外れ変動パターンよりも予告演出の抽選率が高くなるようにしてもよい。その場合、各変動パターン毎に抽選率を変えてもよい。
【００４７】
演出画像制御手段８４は変動パターンコマンドに従って複数種類の背景画像の何れかを選択して、演出図柄２４ａ〜２４ｃの背景画像を制御し、また予告演出決定手段８３が予告演出を決定した場合には演出図柄２４ａ〜２４ｃがリーチになった後に、可動演出体２５の作動、発光部３９，４０の発光に同期して、演出位置Ｙにある可動演出体２５を中心として稲妻状その他の予告演出画像２６を発光表示するように制御する。なお、この予告演出画像２６は閃光的に表示してもよいし、点滅表示してもよい。
【００４８】
可動演出制御手段８５は可動演出体２５の作動による演出を制御するためのもので、予告演出決定手段８３が予告演出を決定して演出図柄２４ａ〜２４ｃがリーチになった場合に、駆動手段４８の駆動により可動演出体２５を退避位置Ｘから画像表示部２１の前側の演出位置Ｙへと移動させ、また発光部３９の発光による演出後に可動演出体２５を退避位置Ｘへと戻すように制御する。なお、可動演出体２５は演出位置Ｙで発光部３９が前に向いた状態で所定時間停止してもよいし、また演出位置Ｙで発光部３９が前に向いた後、直ちに退避位置Ｘへと戻すようにしてもよい。
【００４９】
発光演出制御手段８６は可動演出体２５、前飾り体３２の発光部３９，４０を発光制御するもので、予告演出決定手段８３が予告演出を決定して演出図柄２４ａ〜２４ｃがリーチになり可動演出体２５の発光部３９，４０が演出位置Ｙで前向き状態に作動した際に、その作動に同期して発光素子４１，４９の光により可動演出体２５と前飾り体３２との発光部３９，４０を発光させる。このときの可動演出体２５の発光部３９と前飾り体３２の発光部４０との発光は、画像表示部２１の予告演出画像２６と同時でもよい。また可動演出体２５の発光部３９を数回点滅発光させ、その点滅発光中に前飾り体３２の発光部４０の発光と画像表示部２１の予告演出画像２６の発光表示とを同時又は時間差をおいて行うようにしてもよい。
【００５０】
このパチンコ機では、遊技中に次のような制御並びに演出を行う。即ち、特別図柄始動手段１５が遊技球を検出すると、乱数抽選手段７３が乱数値を抽選し、その乱数値が大当たり乱数値と同じであるか否かにより判定手段７４が大当たりか否かの判定を行う。そして、判定結果が大当たりであれば、停止態様決定手段７６が演出図柄２４ａ〜２４ｃの停止態様を決定する。また判定結果が大当たりであれば、変動パターン決定手段７７が複数種類の大当たり変動パターンの何れかを選択し、外れであれば変動パターン決定手段７７が複数種類の外れ変動パターンの何れかを選択する。
【００５１】
続いて特別図柄表示手段２３の特別図柄が変動を開始し、変動パターン決定手段７７で選択された変動パターンにより指定された変動時間だけ変動した後に、判定手段７４での大当たり、外れの判定結果に応じて大当たり態様、外れ態様の何れかで停止する。そして、判定手段７４が大当たりと判定した場合には、特別図柄が大当たり態様で停止した後に、特別遊技発生手段７９による特別遊技が発生して大入賞手段１６が複数回開放する等、遊技者は有利な状態で遊技を継続できる。
【００５２】
一方、停止態様決定手段７６が演出図柄２４ａ〜２４ｃの停止態様を決定し、変動パターン決定手段７７が演出図柄２４ａ〜２４ｃの変動パターンを決定すると、コマンド送信手段７８が演出制御基板７１側へと夫々のコマンドを送信する。演出制御基板７１側では、変動パターンコマンドを受信すると、演出図柄制御手段８２の制御により特別図柄の変動開始に同期して演出図柄２４ａ〜２４ｃが変動を開始し（図８（Ａ）参照）、その変動パターンに従って所定時間変動する。そして、各演出図柄２４ａ〜２４ｃは図８（Ｂ）（Ｃ）に示すように左、右、中等の順序で停止状態に近い揺れ変動に移行し、停止コマンドに従って大当たり演出態様、外れ演出態様の何れかで最終的に停止する。また遊技中は演出画像制御手段８４の制御により、演出図柄２４ａ〜２４ｃの背景画像が表示される。
【００５３】
例えば、判定手段７４の大当たりの判定により変動パターン決定手段７７が大当たり変動パターンの何れかを選択した場合、又は大当たり変動パターンの変動時間に近い特定のリーチあり外れ変動パターンの何れかを選択した場合には、予告演出決定手段８３が予告演出を行うか否かを決定する。そして、予告演出決定手段８３が予告演出を決定すれば、演出図柄２４ａ〜２４ｃがリーチになった後、可動演出体２５の作動（揺動と回動）と発光部３９，４０の発光と画像表示部２１の予告演出画像２６との組み合わせにより予告演出を行う。
【００５４】
即ち、可動演出体２５は通常は図９（Ａ）に示すように退避位置Ｘにあるが、３個の演出図柄２４ａ〜２４ｃが所定の変動パターンで変動する間に、２個の演出図柄２４ａ，２４ｃが揃うリーチになれば、可動演出制御手段８５の制御により駆動手段４８が起動する。そして、この駆動手段４８が起動すると、駆動アーム６６が図６のａ矢示方向に回動し、連結リンク６７を介して突起５７が図６のｂ矢示方向へと引かれ、揺動機構５４の各突起５６，５７が案内溝５８，５９に沿ってｂ矢示方向へと移動する。このため可動演出体２５は下側の支持手段４７の球面中心５３廻りに退避位置Ｘから演出位置Ｙへと図３のｃ矢示方向に揺動して、図９（Ｂ）に示すように画像演出部２１の前側へと突出する。
【００５５】
そして、突起５６が案内溝５８の演出位置Ｙ側の端部に達すると、突起５７が案内溝５９の円弧部５９ｂに沿って図６のｄ矢示方向へと案内されるため、回動機構５５により、可動演出体２５が突起５６と球面中心５３とを結ぶ軸心廻りにｄ矢示方向へと略９０度前後回動し、可動演出体２５の発光部３９が前に向いた状態となる。
【００５６】
可動演出体２５が演出位置Ｙで前向き状態に作動すると、図９（Ｃ）に示すように発光演出制御手段８６の制御により、可動演出体２５の前向き状態への作動に同期して、可動演出体２５の長手方向に沿って発光部３９が発光し、前飾り体３２の発光部４０が発光する。一方、演出画像制御手段８４の制御により、可動演出体２５等の発光に同期して画像表示部２１の適当箇所に可動演出体２５を中心として稲妻、その他の適宜予告演出画像２６が発光表示される。なお、図９（Ｃ）では各発光状態を斜線で示す。
【００５７】
このように可動演出体２５から前飾り体３２に跨がって発光部３９，４０が直線状に発光し、可動演出体２５の後側の画像表示部２１に予告演出画像２６が発光表示されることにより、これらが一体となって一つの纏まりのある演出を行うため、予告演出の演出効果が向上する。
【００５８】
しかも予告演出は変動パターン決定手段７７が大当たり変動パターンの何れかを選択した場合、又は大当たり変動パターンの変動時間に近い特定のリーチあり外れ変動パターンの何れかを選択した場合に、予告演出決定手段８３が予告演出を行うか否かを決定して行うため、このような予告演出があれば、遊技者に対して大当たりに対する期待感を抱かせることができる。
【００５９】
その後、駆動手段４８の駆動アーム６６が逆方向（反ａ矢示方向）に回動すると、突起５７が案内溝５９の円弧部５９ｂに沿って反ｄ矢示方向に移動するため、可動演出体２５は演出位置Ｙで突起５６と球面中心５３とを結ぶ軸心廻りに反ｄ矢示方向へと略９０度回動する。そして、各突起５６，５７が案内溝５８，５９に沿って反ｂ矢示方向へと移動するため、可動演出体２５は画像表示部２１と略平行な状態で球面中心５３廻りに反ｃ矢示方向へと揺動しながら退避位置Ｘへと戻る。また画像表示部２１に３個の演出図柄２４ａ〜２４ｃ、背景画像が再度表示され、その演出図柄２４ａ〜２４ｃが所定の変動パターンで変動を継続し、停止コマンドにより大当たり演出態様、外れ演出態様の何れかで停止する。
【００６０】
なお、可動演出体２５等の発光部３９，４０は前向き状態で発光し、退避位置Ｘへの復帰動作を開始したときには発光を終了し、また画像表示部２１の予告演出画像２６も消えるが、可動演出体２５は発光部３９が発光した状態のままで戻す等、他の演出形態を採ってもよい。また予告演出画像２６の発光表示中は、演出図柄２４ａ〜２４ｃを表示しないようにしてもよいし、画像表示部２１の正規の表示位置から他の位置に移動させて演出図柄２４ａ〜２４ｃを表示してもよい。
【００６１】
機構的には画像表示部２１の上下方向の寸法よりも長い長尺の可動演出体２５を使用し、この可動演出体２５を上下の支持手段４６，４７により画像表示部２１の一側方の退避位置Ｘと、画像表示部２１の前側に突出する演出位置Ｙとの間で出退移動自在に支持しているので、従来の小型の可動演出体を使用する場合に比較して、可動演出体２５による演出効果が向上すると共に、可動演出体２５の作動が円滑になり、画像表示部２１の予告演出画像２６に同期して可動演出体２５を作動させることができる。
【００６２】
また可動演出体２５が上下方向に長い長尺物であるにも拘わらず、この可動演出体２５の上下両端側を一対の支持手段４６，４７により支持して、その上側の支持手段４６側に設けた駆動手段４８により可動演出体２５を駆動して、下側の支持手段４７を支点として可動演出体２５を揺動させるようにしているため、可動演出体２５の出退動作を円滑に行うことができる。
【００６３】
更に上側の支持手段４６は揺動機構５４、回動機構５５を備え、駆動手段４８の駆動により揺動機構５４、回動機構５５を介して、可動演出体２５が下側の支持手段４７を支点として演出位置Ｙへと斜め方向に揺動し、その演出位置Ｙで発光部３９が前向き状態となるように回動するように構成しているので、ある程度の幅を有する可動演出体２５を使用しているにも拘わらず、可動演出体２５で画像表示部２１を前側から覆う範囲も少なくなり、可動演出体２５の発光部３９と画像表示部２１に表示される予告演出画像２６との調和も容易に採ることができる。
【００６４】
また下側の支持手段４７は左右方向に所定の幅を有する可動演出体２５の内、画像表示部２１から遠い側に対応して設けており、この支持手段４７の球面中心５３を通る可動演出体２５の長手方向の軸心上に突起５７があり，可動演出体２５は演出位置Ｙでその軸心廻りに発光部３９，４０が前向き状態に回動するため、発光部３９が手前側へと突出するような態様で可動演出体２５を回動させることができる。
【００６５】
図１０、図１１本発明の第２の実施例を例示する。この実施例では、上側の支持手段４６の案内板６０は、２本の突起５６，５７を案内する１個の案内溝５９を有し、その案内溝５９は左右方向の直線部５９ａと、この直線部５９ａの演出位置Ｙ側の端部から前側へと湾曲する円弧部５９ｂとを有する。そして、直線部５９ａ側が揺動機構５４となり、円弧部５９ｂが回動機構５５となっている。また２本の突起５６，５７の内、退避位置Ｘ側の突起５７が連結リンク６７を介して駆動モータ６４の駆動アーム６６に連結されている。他の構成は第１の実施例と略同じである。
【００６６】
この場合には、駆動モータ６４が演出方向に起動すると、案内溝５９の直線部５９ａによって２本の突起５６，５７が案内されて、可動演出体２５は退避位置Ｘから演出位置Ｙ側へと揺動する。そして、突起５６，５７が直線部５９ａを通過すると円弧部５９ｂによって案内されるため、可動演出体２５は円弧部５９ｂに沿って発光部３９が前向きとなるように球面中心５３廻りに回動する。
【００６７】
このように案内板６０の１個の案内溝５９で２本の突起５６，５７を案内することによっても、可動演出体２５を退避位置Ｘと演出位置Ｙとの間で揺動させ、また演出位置Ｙで回動させることが可能である。
【００６８】
図１２は本発明の第３の実施例を例示する。この実施例では、案内板６０の案内溝５９に、左右揺動用の直線部５９ａと、この直線部５９ａの演出位置Ｙ側の端部から前側へと斜め方向に屈曲する回動用の直線部５９ｃとがく字状に設けられている。他の構成は各実施例と略同じである。
【００６９】
このように二つの直線部５９ａ，５９ｃを組み合わせた案内溝５９で２本の突起５６，５７を案内するように構成しても、演出位置Ｙ側で発光部３９が前向きとなるように可動演出体２５を回動させることが可能である。
【００７０】
図１３、図１４は本発明の第４の実施例を例示する。この可動演出体２５は円弧状の湾曲部２５ｄを有する弓を模したものであって、上下両端が一対の支持手段４６，４７により支持されている。可動演出体２５は退避位置Ｘでは湾曲部２５ｄが前向き状態で画像表示部２１の一側方に上下方向に配置され、演出位置Ｙでは湾曲部２５ｄが画像表示部２１の中央側に向いた状態で下側の支持手段４７を支点として画像表示部２１の前側に斜め方向に傾斜して配置されている。
【００７１】
上側の支持手段４６の案内板６０は、可動演出体２５の２本の突起５６，５７を案内する案内溝５９を有する。案内溝５９には左右方向の直線部５９ａと、この直線部５９ａの演出位置Ｙ側の端部から後側に湾曲する円弧部５９ｂとが設けられ、その直線部５９ａで可動演出体２５が左右方向に揺動し、円弧部５９ｂで可動演出体２５が画像表示部２１側に接近するように後側へと回動するようになっている。可動演出体２５は演出位置Ｙで回動したときに前向きとなる発光部３９を幅方向の端面側に有し、予告演出時にその発光部３９が内部の発光素子４１からの光により発光するようになっている。他の構成は各実施例と略同じである。
【００７２】
この場合には、予告演出に際しては可動演出体２５が退避位置Ｘから演出位置Ｙへと揺動した後、その演出位置Ｙで略９０度前後回動して湾曲部２５ｄが横向き状態となる。そして、これに同期して可動演出体２５の発光部３９が弓状に発光する。一方、画像表示部２１には、発光部３９の発光と同期して、弓を模した可動演出体２５に対応して張り状態の弦と、この弦に掛けられた矢とを含む予告演出画像２６が表示され、その矢でリーチ状態で変動中の中の演出図柄２４ｂを射るような画像演出がなされる。
【００７３】
このように可動演出体２５は演出位置Ｙで画像表示部２１側に接近する方向に回動するようにしてもよい。
【００７４】
図１５は本発明の第５の実施例を例示する。前飾り体３２の裏面等の所要箇所には、退避位置Ｘの可動演出体２５に対応して発光素子９０が設けられ、この発光素子９０からの光により、可動演出体２５の前面を発光させるようにしている。発光素子９０は可動演出体２５の長手方向に沿って配置された基板９１に、その長手方向に所定間隔をおいて装着されている。基板９１は前飾り体３２の裏面に固定されている。可動演出体２５の前面は発光素子９０からの光を乱反射させるようになっている。他の構成は第１の実施例と同じである。このようにして退避位置Ｘにある可動演出体２５を必要に応じて発光させるようにしてもよい。
【００７５】
図１６〜図１８は本発明の第６の実施例を例示する。上側の支持手段４６は、下側の支持手段４７を中心とする円弧状の案内部９２を有する案内板６０と、その案内部９２により蟻嵌合等を介して摺動自在に案内される摺動体９３とを備えている。摺動体９３には、その前面に配置された帯板状の可動演出体２５を回動自在に枢支する縦方向の枢支軸９４と、画像表示部２１と略平行な状態で可動演出体２５が前側から当接するストッパー９５とが設けられている。
【００７６】
可動演出体２５はストッパー９５に当接するようにバネ９６により枢支軸９４廻りに付勢されている。枢支軸９４はその軸心が略球面中心５３を通る方向に設けられており、可動演出体２５は枢支軸９４と球面中心５３を中心として回動自在である。摺動体９３にはその下側等にラック１００が形成され、駆動モータ６４の駆動軸６５にはラック１００に噛合するピニオン９７が固定されており、摺動体９３は駆動モータ６４の正逆転により案内板６０の案内部９２に沿って左右方向に往復移動自在である。
【００７７】
可動演出体２５の上端には突起９８が、案内板６０には可動演出体２５が演出位置Ｙ側にきたときに突起９８を介して可動演出体２５をバネ９６に抗して枢支軸９４廻りに回動させるカム９９が設けられている。可動演出体２５は画像表示部２１に近い側が発光部３９となっており、内部の発光素子４１の光により発光するようになっている。
【００７８】
なお、案内部９２を有する案内板６０、摺動体９３により揺動機構５４が構成され、案内部９２を有する案内板６０、摺動体９３、枢支軸９４、バネ９６、突起９８、カム９９等により回動機構５５が構成されている。突起９８を案内板６０側に、カム９９を可動演出体２５側に装着設けてもよい。案内部９２の退避位置Ｘ側の端部にはストッパー９２Ａａが設けられている。
【００７９】
この場合には駆動モータ６４のピニオン９７が正転方向に回転すると、ラック１００を介して摺動体９３が案内部９２に沿ってｃ矢示方向に揺動し、可動演出体２５が下側の支持手段４７を支点として退避位置Ｘから演出位置Ｙへと揺動する。そして、摺動体９３が演出位置Ｙの近傍に達すると、突起９８がカム９９に接触して、そのカム９９と突起９８との協働作用により、可動演出体２５がバネ９６に抗して枢支軸９４の軸心廻りにｄ矢示方向に回動し、その発光部３９が前向きとなる。この状態で発光部３９が発光し、画像表示部２１が予告演出画像２６を発光表示する等して予告演出を行う。
【００８０】
また駆動モータ６４が逆転方向に回転すると、演出位置Ｙの近傍で摺動体９３が反ｄ矢示方向に摺動することにより、可動演出体２５がバネ９６により枢支軸９４廻りに反ｃ矢示方向へと回動して発光部３９が横向きとなる。その後、可動演出体２５は退避位置Ｘへと揺動しながら戻る。
【００８１】
上側の支持手段４６の揺動機構５４、回動機構５５は、この実施例のように構成してもよい。従って、揺動機構５４は退避位置Ｘと演出位置Ｙ又はその近傍との間で可動演出体２５を下側の支持手段４７を支点として往復揺動させる機能を有し、また回動機構５５は演出位置Ｙで可動演出体２５を往復回動させる機能、又は演出位置Ｙの近傍と演出位置Ｙとの間での僅かな往復揺動を利用して可動演出体２５を往復回動させる機能を有するものであれば十分であり、その具体的な機構は種々の変更が可能である。
【００８２】
図１９、図２０は本発明の第７の実施例を例示する。この実施例の下側の支持手段４７は、支持体３１から前側に突出する前後方向の揺動用枢軸１０１と、この揺動用枢軸１０１により左右方向に揺動自在に支持され且つ可動演出体２５に軸心廻りに回動自在に挿入された回動用枢軸１０３とを有する。揺動用枢軸１０１と回動用枢軸１０３は略直交方向に配置されている。
【００８３】
揺動用枢軸１０１は支持部材１０５を介して支持体３１に固定されるか、直接支持体３１に固定されている。回動用枢軸１０３は軸保持部１０８を有し、その軸保持部１０８に揺動用枢軸１０１が回動自在に挿通され、止め輪等の抜け止め具１０６により抜け止めされている。
【００８４】
可動演出体２５には回動用枢軸１０３が軸心廻りに回動自在に挿通される軸保持部１０２が設けられている。軸保持部１０２は可動演出体２５の幅方向の一端側に配置され、突起５７又は枢支軸９４の軸心と略一致して可動演出体２５の長手方向に設けられている。他の構成は各実施例と同様である。
【００８５】
この支持手段４７では、可動演出体２５は退避位置Ｘと演出位置Ｙとの間で揺動用枢軸１０１廻りに左右方向に揺動し、演出位置Ｙ側では回動用枢軸１０３廻りに回動する。従って、下側の支持手段４７は球面中心５３を有する球面結合手段の他、このような２本の枢軸１０１，１０３を交差状に配置した十字継ぎ手式でもよい。なお、下側の支持手段４７は可動演出体２５の下部側の中間に設けてもよい。
【００８６】
下側の支持手段４７は、図２１に示すように軸保持部材１０７を備え、この軸保持部材１０７に揺動用枢軸１０１と回動用枢軸１０３とを夫々回動自在に挿通したものでもよい。揺動用枢軸１０１は可動演出体２５の幅方向の中央側に配置され、回動用枢軸１０３は揺動用枢軸１０１に対して画像表示部２１と反対側で可動演出体２５の幅方向の一端側に配置されている。
【００８７】
図２２、図２３は本発明の第８の実施例を例示する。この実施例では、遊技盤１０がアクリル板等の透明な合成樹脂板により構成され、この遊技盤１０にガイドレール１１、画像表示手段１３、普通図柄始動手段１４、特別図柄始動手段１５、大入賞手段１６、普通入賞手段１７等の各種の遊技部品が配置されている。遊技盤１０には画像表示手段１３に対応する開口３０が形成されておらず、この遊技盤１０の裏側に画像表示部２１を支持する支持体３１が装着され、また前側に前飾り体３２が装着されている。画像表示手段１３は遊技盤１０の裏側の画像表示部２１及び支持体３１と、遊技盤１０の前側の前飾り体３２とを備えている。
【００８８】
遊技盤１０と支持体３１との間には、画像表示部２１の少なくとも一側方に所定の空間３６があり、この空間３６内に前飾り体３２の側辺部３２ｃ等に対応して可動演出体２５が上下方向に配置されている。可動演出体２５は各実施例と同様のものであって、上下一対の支持手段４６，４７により各実施例と同様に退避位置Ｘと演出位置Ｙとの間で出退移動自在に支持されている。
【００８９】
可動演出体２５は画像表示手段１３の前飾り体３２の側辺部３２ｃの裏側に対応して遊技盤１０の裏側に配置されているが、退避位置Ｘでは少なくともその一部が遊技領域１２の遊技球の転動領域１２ａに対応しており、遊技盤１０の転動領域１２ａを介して可動演出体２５を前側から視認できるようになっている。
【００９０】
可動演出体２５は退避位置Ｘに退避した状態では前飾り体３２の側辺部３２ｃの左右両側、又は転動領域１２ａ側を遊技盤１０を介して前から視認でき、また画像表示部２１の前側に突出した演出位置Ｙでは遊技盤１０を介して前から視認できるようになっている。支持手段４６，４７は前飾り体３２の裏側等、遊技盤１０の前面又は裏面に設けられた遮蔽体の裏側に対応しており、遊技盤１０を介して前側から見えないようになっている。
【００９１】
このように遊技盤１０が透明な合成樹脂板の場合には、可動演出体２５は遊技盤１０の裏側に配置して、遊技盤１０を介して視認できるように構成することも可能である。なお、可動演出体２５は退避位置Ｘに退避したときにその略全体又は主要部分を前側から視認できるようにしてもよい。
【００９２】
また可動演出体２５は遊技盤１０の前面又は裏面に印刷された装飾画像と調和するようにしてもよい。その場合、図２２に斜線で示すように、転倒領域１２側の装飾画像の一部に、可動演出体２５に対応する透視部１２ｂを設けておき、退避位置Ｘにある可動演出体２５をその透視部１２ｂを介して前側から視認できるようにしてもよい。
【００９３】
以上、本発明の各実施例について詳述したが、本発明はこの各実施例に限定されるものではなく、本発明の趣旨を逸脱しない範囲で種々の変更が可能である。例えば、実施例では、可動演出体２５は上下方向の長尺物を例示しているが、左右方向の長尺物でもよい。また可動演出体２５はその両端間の寸法が画像表示部２１の上下方向又は左右方向の寸法よりも長い長尺物であれば、その形態は何を模したものでもよい。従って、可動演出体２５の形状は帯状等に限定されるものではない。また可動演出体２５は画像表示部２１の左右方向の一側に配置する他、画像表示部２１の左右両側に配置してもよいし、又は画像表示部２１の上側に配置してもよい。その何れの場合にも可動演出体２５の両端側を支持手段４６，４７により支持することは云うまでもない。
【００９４】
可動演出体２５を上下方向に配置する場合には、各実施例に例示のように下側の支持手段４７を支点として可動演出体２５を退避位置Ｘと演出位置Ｙとの間で左右方向に揺動させてもよいし、逆に上側の支持手段４６を支点として可動演出体２５を退避位置Ｘと演出位置Ｙとの間で左右方向に揺動させてもよい。また可動演出体２５の上下両側を左右方向に移動させてもよい。そのとき何れか一方の移動量を大にしてもよい。可動演出体２５を左右方向に配置する場合にも、上下方向に配置する場合と同様にすることができる。
【００９５】
可動演出体２５の両端側を支持する一対の支持手段４６，４７に揺動機構５４、回動機構５５を含む移動機構を設け、この移動機構を介して１個の駆動手段４８により可動演出体２５を出退移動自在にしてもよい。また一対の支持手段４６，４７に揺動機構５４、回動機構５５を含む移動機構を設けるに当たっては、同期して作動する駆動手段４８を各支持手段４６，４７に別々に設けてもよい。
【００９６】
一対の支持手段４６，４７は、その少なくとも一方が可動演出体２５を退避位置Ｘと演出位置Ｙとの間で往復移動させる移動機構を含む必要があるが、その移動機構の構成は可動演出体２５の作動態様に応じて適宜変更することが可能である。例えば可動演出体２５が退避位置Ｘと演出位置Ｙとの間で揺動し、演出位置Ｙ側で可動演出体２５が支持手段４６，４７の一方を支点に回動するという場合には、その条件の範囲において揺動機構５４、回動機構５５を含む移動機構の構成を自由に変更することができる。
【００９７】
また実施例では、長尺の可動演出体２５の作動とその発光部３９の発光と画像表示部２１の予告演出画像２６とを組み合わせて予告演出を行うようにしているが、長尺の可動演出体２５の作動のみで所定の演出を行うようにしてもよいし、長尺の可動演出体２５の作動とその発光部３９の発光との組み合わせ、又は長尺の可動演出体２５の作動と画像表示部２１に表示される予告演出画像２６との組み合わせで予告演出を行うようにしてもよい。また長尺の可動演出体２５の作動と、これとは別の可動演出体とを組み合わせて演出を行うようにしてもよい。
【００９８】
可動演出体２５等による演出として大当たりの予告演出を例示しているが、遊技中の演出であれば、将来発生する特定の遊技状態を予告する他の予告演出でもよいし、その時点の遊技状態の単なる演出等、将来に対する予告以外の演出でもよい。
【００９９】
可動演出体２５を両端側の支持手段４６，４７を介して画像表示手段１３の支持枠２０に設ける場合、画像表示部２１を支持する支持体３１、又は画像表示部２１の外周側で支持体３１の前側に配置された飾り板３７に各支持手段４６，４７を取り付けてもよいし、前飾り体３２の裏側に各支持手段４６，４７を取り付けてもよい。
【０１００】
可動演出体２５の作動に同期して画像表示部２１に演出画像を表示するに際しては、その演出態様によっては可動演出体２５の演出位置Ｙへの揺動前に演出画像を表示してもよいし、可動演出体２５が演出位置Ｙから退避位置Ｘへと退避動作を開始した後も所定時間演出画像を表示してもよい。またアレンジボール機、雀球遊技機等の他の弾球遊技機においても同様に実施可能であることは云うまでもない。
【図面の簡単な説明】
【０１０１】
【図１】本発明の第１の実施例を示すパチンコ機の斜視図である。
【図２】同遊技盤の正面図である。
【図３】同可動演出体を含む要部の正面図である。
【図４】同可動演出体を含む要部の平面断面図である。
【図５】同可動演出体の断面図である。
【図６】同上側の支持手段の平面図である。
【図７】同制御系のブロック図である
【図８】同演出図柄の図柄変動の説明図である。
【図９】同可動演出の説明図である。
【図１０】本発明の第２の実施例を示す要部の正面図である。
【図１１】同上側の支持手段の平面図である。
【図１２】本発明の第３の実施例を示す上側の支持手段の平面図である。
【図１３】本発明の第４の実施例を示す概略正面図である。
【図１４】同上側の支持手段の平面図である。
【図１５】本発明の第５の実施例を示す要部の平面断面図である。
【図１６】本発明の第６の実施例を示す要部の正面図である。
【図１７】同上側の支持手段の平面図である。
【図１８】同上側の支持手段の側面図である。
【図１９】本発明の第７の実施例を示す下側の支持手段の正面図である。
【図２０】同要部の側面断面図である。
【図２１】同下側の支持手段の変形例を示す断面図である。
【図２２】本発明の第８の実施例を示す下側の支持手段の正面図である。
【図２３】同可動演出体を含む要部の平面断面図である。
【符号の説明】
【０１０２】
１３  画像表示手段
２１  画像表示部
２４ａ〜２４ｃ  演出図柄
２５  可動演出体
２６  演出画像
３１  支持体
３２  前飾り体
３９  発光部
４１  発光素子
４６，４７  支持手段
４８  駆動手段
５４  揺動機構
５５  回動機構
Ｘ  退避位置
Ｙ  演出位置
【図１】
2011161296.tif 000003
【図２】
2011161296.tif 000004
【図３】
2011161296.tif 000005
【図４】
2011161296.tif 000006
【図５】
2011161296.tif 000007
【図６】
2011161296.tif 000008
【図７】
2011161296.tif 000009
【図８】
2011161296.tif 000010
【図９】
2011161296.tif 000011
【図１０】
2011161296.tif 000012
【図１１】
2011161296.tif 000013
【図１２】
2011161296.tif 000014
【図１３】
2011161296.tif 000015
【図１４】
2011161296.tif 000016
【図１５】
2011161296.tif 000017
【図１６】
2011161296.tif 000018
【図１７】
2011161296.tif 000019
【図１８】
2011161296.tif 000020
【図１９】
2011161296.tif 000021
【図２０】
2011161296.tif 000022
【図２１】
2011161296.tif 000023
【図２２】
2011161296.tif 000024
【図２３】
2011161296.tif 000025
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
画像表示部を支持する支持体と、前記画像表示部の外周側で前記支持体を前側から覆う前飾り体とを備えた弾球遊技機において、前記支持体と前記前飾り体との間で前記画像表示部の一方側の空間に、前記前飾り体により一部が覆われる退避位置と、前記画像表示部の前側の演出位置との間で出退する可動演出体を配置し、該可動演出体は発光部を有し、前記前飾り体の前記演出位置にある前記可動演出体の前記発光部の延長線上に、該発光部の発光に同期して直線状に発光する発光部を配置したことを特徴とする弾球遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、演出位置にある可動演出体の発光部と前飾り体側の発光部とを同期して直線状に発光させて、両者により纏まりのある演出を行うことができる弾球遊技機を提供することを目的とする。
【手続補正５】
【補正対象書類名】明細書
【補正対象項目名】０００８
【補正方法】変更
【補正の内容】
【０００８】
本発明は、画像表示部を支持する支持体と、前記画像表示部の外周側で前記支持体を前側から覆う前飾り体とを備えた弾球遊技機において、前記支持体と前記前飾り体との間で前記画像表示部の一方側の空間に、前記前飾り体により一部が覆われる退避位置と、前記画像表示部の前側の演出位置との間で出退する可動演出体を配置し、該可動演出体は発光部を有し、前記前飾り体の前記演出位置にある前記可動演出体の前記発光部の延長線上に、該発光部の発光に同期して直線状に発光する発光部を配置したものである。          
【手続補正６】
【補正対象書類名】明細書
【補正対象項目名】０００９
【補正方法】変更
【補正の内容】
【０００９】
本発明によれば、演出位置にある可動演出体の発光部と前飾り体側の発光部とを同期して直線状に発光させて、両者により纏まりのある演出を行うことができる。